(57)【特許請求の範囲】
【請求項１】
両側に端部を備える直管形ランプであって、一方の端部に接地のための口金である接地用口金を備えるとともに、他方の端部に給電のための給電用口金を備える直管形ランプを、直列に連結するソケットにおいて、
前面部と前記前面部に対向する後面部とを有し、前記給電用口金が挿入される給電用口金挿入孔を前記前面部に備える外郭部と、
前記後面部に設けられ、底部と一対の側壁部と備える溝部であって、前記接地用口金が挿入されるとともに、挿入される前記接地用口金を係止する係止部を備える溝部と、
前記溝部に収納され、前記係止部に係止される前記接地用口金と接触する接触部と、
前記接触部と接続され、前記溝部の前記底部に配置される接地金具と
を備えることを特徴とするソケット。
【請求項２】
前記接地用口金は、１極の接地ピンを備え、
前記接地ピンは、先端に突起部を備え、
前記係止部は、前記溝部の前記１対の側壁部に形成された一対の切り欠きであって、前記突起部が嵌め込まれる一対の切り欠きを備える
ことを特徴とする請求項１に記載のソケット。
【請求項３】
前記接触部は、前記一対の切り欠きに嵌め込まれる前記突起部を挟持する一対の接触片であることを特徴とする請求項２に記載のソケット。
【請求項４】
前記接触部は、前記底部の領域のうち前記一対の切り欠きが形成されている位置に対応する領域に配置される弾力性を備えるバネ板であり、
前記バネ板は、前記突起部が前記一対の切り欠きに嵌め込まれると、弾力性により前記突起部に押し付けられ、前記突起部と接触することを特徴とする請求項２に記載のソケット。
【請求項５】
前記外郭部は、前記後面部が取り外し自在な裏蓋であることを特徴とする請求項１〜４のいずれかに記載のソケット。
【請求項６】
請求項１〜請求項５のいずれかに記載のソケットと、
前記ソケットが取り付けられる器具本体と、
前記ソケットにより連結される直管形ランプに電源を供給する電源装置とを備えることを特徴とする照明器具。
【発明の詳細な説明】
【技術分野】
【０００１】
本発明は、例えば、直管ＬＥＤランプを直列に連結するソケット及び照明器具に関する。
【背景技術】
【０００２】
昨今、直管蛍光ランプの代替として直管ＬＥＤランプが販売されているが、口金として従来の直管蛍光ランプと同じＧ１３口金が採用されているものが多い。そのため従来の蛍光灯用照明器具に取り付けることが可能となる。しかし、直管ＬＥＤランプは、使用可能（取り付け可能）な照明器具が指定されているものも多い（例えば、電子安定器用、グロー安定器用など）。したがって、使用可能でない照明器具にユーザーが間違って取り付ける可能性があり、取り付けた直管ＬＥＤランプや安定器が故障する恐れがある。
【０００３】
このような間違いを防ぐために、従来のＧ１３口金とは異なる新規な口金を備えた直管ＬＥＤランプの規格が検討されている（（社）日本電球工業会規格ＪＥＬ８０１，ＪＥＬ９０７）。
【０００４】
従来、少なくとも２本以上の直管蛍光ランプを直線状に配設される照明器具について、照明器具に連結するための構造を有する部品を配置し、その部品の両面に既存のランプソケットを取り付ける構造のものがある（例えば特許文献１）。
【０００５】
またランプソケット本体の両面に直管蛍光ランプを取り付けられる構造を有するランプソケットがある（例えば特許文献２）。
【先行技術文献】
【特許文献】
【０００６】
【特許文献１】特開平１０−２２３０１５号公報
【特許文献２】特開２００５−０５０７２９号公報
【発明の概要】
【発明が解決しようとする課題】
【０００７】
特許文献１では、既存のランプソケットを用いて連結するための部品に取り付けているが、連結するための部品の厚みだけ照明器具の長手方向に長くなり意匠面が劣るうえ、照明器具の発光面の間隔が広がり、光ムラが生じるという課題がある。また、照明器具への取り付けは、連結するための部品を照明器具に取り付けた後、既存のランプソケットを２個取り付けるため組立てに時間を費やすという課題がある。
【０００８】
特許文献２では、直管蛍光ランプを少なくとも２本以上が直線状に配置される照明器具に特化した専用のランプソケットであるため、専用のランプソケットの開発が必要であり多大な開発コストが生じるという課題がある。
【０００９】
本発明は、上記のような課題を解決するためになされたもので、ランプの連結部分を薄くすることができるとともに、開発コストの低減を目的とする。
【課題を解決するための手段】
【００１０】
本発明に係るソケットは、両側に端部を備える直管形ランプであって、一方の端部に接地のための口金である接地用口金を備えるとともに、他方の端部に給電のための給電用口金を備える直管形ランプを、直列に連結するソケットにおいて、前面部と前記前面部に対向する後面部とを有し、前記給電用口金が挿入される給電用口金挿入孔を前記前面部に備える外郭部と、前記後面部に設けられ、底部と一対の側壁部と備える溝部であって、前記接地用口金が挿入されるとともに、挿入される前記接地用口金を係止する係止部を備える溝部と、前記溝部に収納され、前記係止部に係止される前記接地用口金と接触する接触部と、前記接触部と接続され、前記溝部の前記底部に配置される接地金具とを備えることを特徴とする。
【発明の効果】
【００１１】
本発明に係るソケットは、両側に端部を備える直管形ランプであって、一方の端部に接地のための口金である接地用口金を備えるとともに、他方の端部に給電のための給電用口金を備える直管形ランプを、直列に連結するソケットにおいて、前面部と前記前面部に対向する後面部とを有し、前記給電用口金が挿入される給電用口金挿入孔を前記前面部に備える外郭部と、前記後面部に設けられ、底部と一対の側壁部と備える溝部であって、前記接地用口金が挿入されるとともに、挿入される前記接地用口金を係止する係止部を備える溝部と、前記溝部に収納され、前記係止部に係止される前記接地用口金と接触する接触部と、前記接触部と接続され、前記溝部の前記底部に配置される接地金具とを備えるので、直管形ランプの連結部分を薄くすることができ、照明器具の意匠性を向上させることができるとともに、開発コストの低減を図ることができる。
【図面の簡単な説明】
【００１２】
【図１】実施の形態１に係る照明器具１０の斜視図であり、（ａ）は照明器具１０の全体斜視図、（ｂ）は直管ＬＥＤランプ２０の連結部分の部分拡大斜視図である。
【図２】実施の形態１に係る直管ＬＥＤランプ２０の斜視図であり、（ａ）は直管ＬＥＤランプ２０の全体斜視図、（ｂ）は接地側口金２１の部分拡大斜視図、（ｃ）は直管ＬＥＤランプ２０の給電側口金２３の部分拡大斜視図である。
【図３】実施の形態１に係る連結ソケット３０の分解斜視図である。
【図４】実施の形態１に係る連結ソケット３０の後面部４６側から見た全体斜視図である。
【図５】実施の形態１に係る連結ソケット３０の５面図であり、（ａ）は正面図、（ｂ）は側面図、（ｃ）は背面図、（ｄ）は平面図、（ｅ）は底面図である。
【図６】実施の形態１に係る裏蓋４０の４面図であり、（ａ）は裏蓋４０の内側から後面部４６を見た図、（ｂ）は側面図、（ｃ）は後面部４６の正面図、（ｄ）は上方から見た平面図である。
【図７】直管ＬＥＤランプ２０の１灯用の照明器具などで使用される給電側ソケット１０１の分解斜視図である。
【図８】実施の形態２に係る連結ソケット３０ａの分解斜視図である。
【発明を実施するための形態】
【００１３】
実施の形態１．
図１は、本実施の形態に係る照明器具１０の斜視図であり、（ａ）は照明器具１０の全体斜視図、（ｂ）は直管ＬＥＤランプ２０の連結部分の部分拡大斜視図である。図２は、直管ＬＥＤランプ２０の斜視図であり、（ａ）は直管ＬＥＤランプ２０の全体斜視図、（ｂ）は接地側口金２１の部分拡大斜視図、（ｃ）は、直管ＬＥＤランプ２０の給電側口金２３の部分拡大斜視図である。
【００１４】
図１及び図２を用いて、本実施の形態に係る照明器具１０及び直管ＬＥＤランプ２０の全体構成について説明する。
【００１５】
図１（ａ）に示すように、照明器具１０は、器具本体１１と、直管ＬＥＤランプ２０（直管形ランプ）と、連結ソケット３０（ソケット、直管ＬＥＤランプ用ソケット）とを備える。直管ＬＥＤランプ２０は、連結ソケット３０に着脱自在に取り付けられる。
【００１６】
照明器具１０は、２本の直管ＬＥＤランプ２０を直列に連結して配置する照明器具である。また、照明器具１０は、２本の直管ＬＥＤランプ２０が直列に連結されたものを２つ並列に配置する照明器具である。すなわち、照明器具１０は、４本の直管ＬＥＤランプ２０を装着する照明器具である。
【００１７】
照明器具１０に装着される直管ＬＥＤランプ２０について図２を用いて説明する。図２（ａ）に示すように、直管ＬＥＤランプ２０は、両側に端部を備え、一方の端部に接地のための口金である接地側口金２１（接地用口金）を備えるとともに、他方の端部に給電のための給電側口金２３（給電用口金）を備える。直管ＬＥＤランプ２０は、円筒形のケース２０ａを備え、ケース２０ａの内部には長形のＬＥＤモジュール（図示なし）が収納されている。
【００１８】
本実施の形態に係る直管ＬＥＤランプ２０は、１つのランプで３極の電極をもち、２種類の口金形状を備えた直管ＬＥＤランプである。
【００１９】
直管ＬＥＤランプの口金には、直管蛍光灯の口金Ｇ１３を使用したものがある。本実施の形態に係る直管ＬＥＤランプ２０は、口金Ｇ１３を使用した直管ＬＥＤランプとは異なり、円管状（円筒形状）のケース２０ａ（発光部）と、このケース２０ａの長手方向の一端側に設けられる接地側口金２１と、同じくケース２０ａの長手方向の他端側に設けられる給電側口金２３とを備える（ＪＥＬ８０１でいう、Ｌ形ピン口金ＧＸ１６−ｔ）。
【００２０】
接地側口金２１は、口金（直管ＬＥＤランプ２０の一端部の円部２１ｃ）の中心に１極の電極である接地ピン２２（導電ピン）を備える。接地ピン２２は、ランプ軸方向に延びた円柱である円柱部２２ａと、楕円部２２ｂとで構成される。円柱部２２ａは、円部２２ｃの略中心から突き出した円柱であり、先端部に楕円柱である楕円部２２ｂを備える。楕円部２２ｂは、長径Ｌ１であり、短径Ｌ２であるものとする。接地ピン２２は、直管ＬＥＤランプ２０の金属部分と照明器具１０とを接続して接地させることを目的とする。
【００２１】
楕円部２２ｂの短径Ｌ２は、円柱部２２ａの断面の円の直径より大きくなっている。楕円部２２ｂ（突起部）は、円柱部２２ａの断面よりも大きいので、円柱部２２ａの外周から突出するように設けられている。また接地ピン２２は、直管ＬＥＤランプ２０の内部に収納されているＬＥＤモジュールの放熱フィン（図示なし）などの金属部と接続されている。
【００２２】
給電側口金２３は、口金の端面（直管ＬＥＤランプ２０の他端部の円部２３ｃ）の中心に凸部となるランプ引っ掛け部２５を備える。ランプ引っ掛け部２５は、端面から凸部に盛り上がった落下防止用の部位である。ランプ引っ掛け部２５の上面に一対のＬ字型の導電ピンを有し、直管ＬＥＤランプに給電することを目的としたものである。
【００２３】
給電側口金２３は、ランプ引っ掛け部２５からランプ軸方向へ延びている２極の電極である一対の給電ピン２４を備えている。給電ピン２４は、円部２３ｃの面上に設けられた一対のＬ字型の導電ピンであり、Ｌ字形をなし、ランプ軸方向へ延びる軸部２４ａと、軸部２４ａの先端部から垂直に延びる抜け止め部２４ｂとを備える。
【００２４】
給電ピン２４は、照明器具１０に備える電源装置に接続され、直管ＬＥＤランプ２０の内部に収納されているＬＥＤモジュールに電力を供給する。給電ピン２４は、直管ＬＥＤランプに給電することを目的としたものである。
【００２５】
図１（ｂ）に示すように、連結ソケット３０は、本体３１と、裏蓋４０とを備える。本体３１には、給電側口金２３が着脱自在に装着され、裏蓋４０には、接地側口金２１が着脱自在に装着される。これにより、２本の直管ＬＥＤランプ２０を直列に連結することができる。
【００２６】
図３は、本実施の形態に係る連結ソケット３０の分解斜視図である。図４は、本実施の形態に係る連結ソケット３０の後面部４６側から見た全体斜視図である。図５は、本実施の形態に係る連結ソケット３０の５面図であり、（ａ）は正面図、（ｂ）は側面図、（ｃ）は背面図、（ｄ）は平面図、（ｅ）は底面図である。図６は、本実施の形態に係る裏蓋４０の４面図であり、（ａ）は裏蓋４０の内側から後面部４６を見た図、（ｂ）は側面図、（ｃ）は後面部４６の正面図、（ｄ）は上方から見た平面図である。
【００２７】
図３〜図６を用いて、本実施の形態に係る連結ソケット３０の構造について説明する。
【００２８】
図３に示すように、連結ソケット３０は、本体３１と、この本体３１に収納される回転子３４と、同じく本体３１に収納される一対の給電金具３５と、本体３１の背面を塞ぐ裏蓋４０と、この裏蓋４０に取り付けられる接地金具５０とを有する。
【００２９】
図４に示すように、本体３１と裏蓋４０とが結合されて１つの外郭部１０３を形成する。図４に示す外郭部１０３は、前面部３６と前面部３６に対向する後面部４６とを有する。前面部３６は、給電側口金２３が挿入される開口部３２（給電用口金挿入孔）（図３参照）を備える。
【００３０】
以下、説明を簡略化するため、図３に示すように、連結ソケット３０において器具本体１１に取り付けられる器具取付部３９側を下側、連結ソケット３０に直管ＬＥＤランプ２０が取り付けられた場合に光の照射方向となる側を上側とする。
【００３１】
本体３１は、熱可塑性樹脂の絶縁材、例えば、ポリカーボネイトやポリブチレンテレフタレートなどで成形される。本体３１は、前面部３６に開口部３２を備える。本体３１は、前面部３６の裏側である本体内部に、回転子３４及び一対の給電金具３５を収納する。また、本体３１は、後述する裏蓋４０の爪部４１を嵌め合わせて結合するための嵌合受部３３を備える。
【００３２】
回転子３４は、開口部３２に連結して配設され、給電ピン２４が挿入されると、挿入された給電ピン２４が回転する機構を有する。給電金具３５は、回転子３４に挿入された給電ピン２４が９０度回転した位置で、軸部２４ａの外側の側面と接触する位置に配置される。
【００３３】
また、図５（ｅ）に示すように、本体３１の下側の底面部３７には電線が挿入される電線挿入孔３８を備える。給電金具３５は、本体３１の内部に挿入される電線と接続される速結端子部３５ａを下側（底面部３７側）に備える。
【００３４】
電線挿入孔３８に挿入された電線は、給電金具３５の速結端子部３５ａと接続される。つまり、給電金具３５は、本体３１の底面部３７の電線挿入孔３８から挿入される図示しない電線と接続され、電子安定器などの電源出力部と繋がるとともに、開口部３２から挿入される直管ＬＥＤランプ２０の給電側口金２３（給電ピン２４）と接続される。これにより、直管ＬＥＤランプ２０には給電ピン２４を介して電力が供給される。
【００３５】
裏蓋４０は、熱可塑性樹脂の絶縁材、例えば、ポリカーボネイトやポリブチレンテレフタレートなどで成形される。裏蓋４０は、本体３１の嵌合受部３３と嵌合する爪部４１と、後面部４６に形成される溝部４２とを備える。
【００３６】
溝部４２は、後面部４６の上下方向に設けられる。溝部４２は、溝底部４７（底部）と一対の側壁部４８とを備える。溝部４２には、接地側口金２１が挿入され、挿入される接地側口金２１を係止するランプ保持部４３（係止部）が備えられる。
【００３７】
ランプ保持部４３は、溝部４２の１対の側壁部４８に形成された一対の切り欠き４３ａ（図６（ｃ）参照）であって、一対の切り欠き４３ａには直管ＬＥＤランプ２０の楕円部２２ｂが嵌め込まれる。
【００３８】
接地金具５０は、溝部４２に収納される。つまり、接地金具５０は、溝部４２の内部に収納され、図５（ｂ）に示すように、後面部４６の表面から突出することはない。
【００３９】
接地金具５０は、溝部４２のランプ保持部４３に対応する位置に配置されて、ランプ保持部４３に保持（係止）される接地側口金２１と接触する挟持部５１（接触部）を備える。挟持部５１は導通性のある金属で形成されている。さらに、接地金具５０は、挟持部５１と接続され、溝部４２の溝底部４７に配置される金属の板である接地板５４を備える。挟持部５１と接地板５４とは、一体形成されていてもよいし別部品でもよい。
【００４０】
図３に示すように、接地金具５０の下側の端部にはランプ軸方向に略直角に曲げられて形成された接地部５３ａと、接地部５３ａと器具本体１１とを接続するためのネジ（図示なし）を取り付ける接地孔５３ｂとを備える。接地金具５０は、接地部５３ａが器具本体１１と接続されることにより器具本体１１と導通する。
【００４１】
図６（ｃ）に示すように、溝部４２は、溝の幅をＬ３とし、溝部４２の上部の幅をＬ４とし、ランプ保持部４３部分（一対の切り欠き４３ａ）の幅（長径）をＬ６とする。また、図５（ｃ）に示すように、ランプ保持部４３に配置されている挟持部５１の幅（長径）をＬ５とする。
【００４２】
図５（ｃ）、図６に示すように、溝部４２の形状は、溝部４２の上端部の溝の幅Ｌ４が溝部４２の平行部分の幅Ｌ３よりもやや大きく（広く）、下方に向かって徐々にＬ３に近づいていき、溝の幅をＬ３の状態で両側の側壁部の縁部が略平行になるように形成されている。ランプ保持部４３の部分では、一対の切り欠き４３ａが形成され、この一対の切り欠き４３ａの幅（ランプ保持部４３の長径の幅）はＬ６である。
【００４３】
接地ピン２２を連結ソケット３０に装着する方法について説明する。図５（ｃ）に示すように、接地ピン２２は、楕円部２２ｂの長径方向を溝部４２の方向に沿わせた向き（Ｓ１の状態）で、溝部４２の上端部に形成された溝部開口４９から挿入される。ここで、溝部開口４９の幅Ｌ４がやや広く形成されているので、接地ピン２２を挿入する際に溝部４２の側壁部４８等が邪魔にならず作業性がよい。
【００４４】
そして、楕円部２２ｂがランプ保持部４３の位置にくると、作業者は、ランプ保持部４３の位置で直管ＬＥＤランプ２０を９０度回転する。９０度回転させることにより、楕円部２２ｂは、ランプ保持部４３の一対の切り欠き４３ａに嵌められた状態（Ｓ２の状態）となる。これにより、直管ＬＥＤランプ２０の接地ピン２２は上下方向に動くことなく固定される。
【００４５】
溝部４２の幅Ｌ３は、接地ピン２２の楕円部２２ｂの短径Ｌ２よりも大きく、楕円部２２ｂの長径Ｌ１よりも小さい幅に形成される。すなわち、Ｌ２＜Ｌ３＜Ｌ１の関係である。
【００４６】
直管ＬＥＤランプ２０を保持するランプ保持部４３の幅Ｌ６は、楕円部２２ｂの長径Ｌ１より大きい幅である。すなわち、Ｌ１＜Ｌ６である。挟持部５１はバネ性を有する一対の接触片であり、図５に示すように、ランプ保持部４３に配置された状態の幅Ｌ５はＬ１よりもやや小さく形成されることが好ましい。つまり、Ｌ５＜Ｌ１＜Ｌ６の関係である。
【００４７】
Ｌ５＜Ｌ１＜Ｌ６の関係とすることにより、楕円部２２ｂがランプ保持部４３（挟持部５１）内で９０度回転してＳ２の状態となった場合に、バネ性により挟持部５１が楕円部２２ｂの外周を押し付けながら挟持するので、確実に接地ピン２２と接地金具５０とを接続させることができる。
【００４８】
接地板５４は、挟持部５１と接続されている部分から溝部４２に沿って下方へ延設されている。接地板５４は、溝底部４７に当接するように取り付けられる。
【００４９】
図５（ｃ）、図６（ｃ）に示すように、溝部４２は、溝底部４７のランプ保持部４３より下側の位置に、接地板５４（接地金具５０）を溝底部４７へ固定するための固定突起４４を備える。また、図３に示すように、接地板５４は、固定突起４４に対応する位置に、固定受部５２を備える。
【００５０】
接地金具５０を溝部４２に取り付ける場合には、挟持部５１をランプ保持部４３に嵌め込むとともに、接地板５４の固定受部５２に固定突起４４を嵌め込む。図６（ｄ）に示すように、固定突起４４は、溝底部４７からランプ軸方向へ延びる固定軸４４ａと、この固定軸４４ａの先端からランプ軸部方向へ延びる円錐の形状をした接合部４４ｂで構成される。また、接地板５４の固定受部５２は、固定突起４４の接合部４４ｂの底面より小さい穴となっている。固定受部５２及び固定突起４４をこのような形状にすることより、接地金具５０が溝部４２に固定された後に、外れにくい構造となっている。
【００５１】
図６（ｂ）（ｄ）に示すように、裏蓋４０は、連結ソケット３０の内部に配置される回転子３４を支持するとともに回転子３４を回転させる回転軸４５を有する。
【００５２】
接地金具５０は、裏蓋４０の溝部４２の内部に設けられ、溝部４２のランプ保持部４３部分で接地ピン２２の楕円部２２ｂの側面を挟持して接続する挟持部５１と、溝底部４７の固定突起４４の接合部４４ｂの底面より小さい穴である固定受部５２と、照明器具１０の器具本体１１等（設置している箇所）と接続するための接地孔５３ｂを有する。
【００５３】
固定受部５２に固定突起４４が挿入されることで接地金具５０を裏蓋４０の溝部４２内に固定する。本実施の形態では、接地孔５３ｂは、ネジで締め付けることで器具本体１１を介して接地することを意図しているが、接地部５３ａを速結端子の構造にして接地用の電線を接続する構造としてもよい。また、接地金具５０は、連結ソケット３０の外側に露出するが、照明器具１０の器具本体１１を介して接地しているため、ランプ取り付け時などに接地金具５０に触れても問題はない。
【００５４】
以上のように、本実施の形態に係る連結ソケット３０は、接地ピン２２が連結ソケット３０の内部に挿入される必要はない。つまり、溝底部４７には開口がなく、溝部４２に挿入された接地ピン２２は連結ソケット３０内には挿入されない。これにより、連結ソケット３０の内部に収納されている給電ピン２４に対応する構成には影響を及ぼすことなく接地ピン２２を接続することができる。直管蛍光ランプ用の連結ソケットのように、直管蛍光ランプのランプピンは充電部となるためにソケット内部に収納する必要があり、連結部分の厚みがより大きくなるということはない。
【００５５】
裏蓋４０の溝部４２の溝の高さは、接地ピン２２の長さ以下にすることができ、照明器具１０の小型化に繋がるうえ、直管ＬＥＤランプ２０間の隙間も少なくなり、光ムラは低減する。
【００５６】
図７は、直管ＬＥＤランプ２０の１灯用の照明器具などで使用される給電側ソケット１０１の分解斜視図である。図７は図３に対応する図であり、図３と同様の構成部については同一の符号を付し、その説明を省略する。
【００５７】
給電側ソケット１０１は、本体３１、回転子３４、一対の給電金具３５、給電側ソケット用裏蓋１０２で構成される。給電側ソケット用裏蓋１０２は、後面部４６と、爪部４１とを備える。給電側ソケット用裏蓋１０２の後面部４６は、本実施の形態に係る裏蓋４０の溝部４２、ランプ保持部４３、固定突起４４を備えていない。
【００５８】
つまり、本実施の形態に係る連結ソケット３０は、給電側ソケット１０１の給電側ソケット用裏蓋１０２を取り外し、裏蓋４０を本体３１に取り付けることで製造することができる。これは、上述したように、本実施の形態に係る連結ソケット３０は、連結ソケット３０内部の給電ピンを接続する構成に何ら影響を及ぼすことなく、接地ピン２２を接続することができるからである。
【００５９】
連結ソケット３０と給電側ソケット１０１とでは、本体３１、回転子３４、一対の給電金具３５等を共通で使用することができるため、開発コストの削減や開発期間を短縮することができ、また在庫管理の利便性の向上や保管スペースの縮小にも繋がる。
【００６０】
本実施の形態に係る照明器具１０に装着される直管ＬＥＤランプ２０は、３極の電極を有し、端部の一方は接地を目的とした１極の接地ピン２２を有し、他方は給電を目的とした２極の給電ピン２４を有することを特徴としている。また、本実施の形態に係るランプソケット（連結ソケット３０）は、上述した直管ＬＥＤランプ２０を少なくとも２本以上を直線状に配置する照明器具１０に使用され、直管ＬＥＤランプ２０の相対する口金を接続する。
【００６１】
本実施の形態に係るランプソケット（連結ソケット３０）は、絶縁性を有し、前面部３６に開口部３２を有する本体３１と、開口部３２に設けられ、直管ＬＥＤランプ２０の給電ピン２４が各々挿入され回転機構を有する回転子３４と、回転子３４に挿入された給電ピン２４に接触し本体内部に配置された一対の給電金具３５とを備える。また、ランプソケット（連結ソケット３０）は、絶縁性を有し、本体３１側には本体３１の備える嵌合受部３３と嵌合するための爪部４１を有し、後面部４６には接地ピン２２が挿入可能な溝部４２を有する裏蓋４０と、裏蓋４０の溝部４２に挿入された接地ピン２２を挟持し、裏蓋４０の溝部４２側に配置された接地金具５０とを備える。
【００６２】
本実施の形態に係るランプソケット（連結ソケット３０）は、上記のような構成を備えているので、照明器具１０を薄型にすることができる。また、直管ＬＥＤランプ２０を１本装着する照明器具に使用される給電側ソケット１０１の本体３１、回転子３４、給電金具３５を流用することができるため、開発コストの削減をすることができる。
【００６３】
実施の形態２．
本実施の形態は、実施の形態１の接地金具５０とは形状の異なる接地金具６０を備える連結ソケット３０ａについて説明する。
【００６４】
図８は、本実施の形態に係る連結ソケット３０ａの分解斜視図である。図８は図３に対応する図であり、図３と同様の構成部については同一の符号を付し、その説明を省略する。
【００６５】
図８に示すように、接地金具６０は、溝部４２のランプ保持部４３に対応する位置に配置されて、ランプ保持部４３に保持（係止）される接地側口金２１と接触するバネ受部６４（接触部）を備える。バネ受部６４は導通性のある金属で形成されている。さらに、接地金具６０はバネ受部６４と連続して形成された接地板５４を備える。バネ受部６４と接地板５４とは、一体形成されていてもよいし別部品でもよい。
【００６６】
バネ受部６４は、溝底部４７の領域のうちランプ保持部４３（一対の切り欠き４３ａ）が形成されている位置に対応する領域に配置される弾力性を備えるバネ板である。バネ受部６４は、接地ピン２２の楕円部２２ｂがランプ保持部４３に嵌め込まれると、バネ性（弾力性）により楕円部２２ｂの端面（表面）に押し付けられ、楕円部２２ｂと確実に接触する。
【００６７】
接地金具６０は、裏蓋４０のランプ保持部４３にて、バネ性を有しランプ軸方向に可動できるバネ受部６４を有する。バネ受部６４は、直管ＬＥＤランプ２０の接地ピン２２の楕円部２２ｂの端面（表面）と面接触して接続する。
【００６８】
本実施の形態に係る連結ソケット３０ａによれば、接地金具６０の接触部であるバネ受部６４が、バネ性によりランプ軸方向に可動できるので、直管ＬＥＤランプ２０のランプ長のバラツキを吸収することができる。
【００６９】
以上、実施の形態１〜２について説明したが、これらの２つの実施の形態を組み合わせて実施しても構わない。あるいは、これらのうち、１つの実施の形態を部分的に実施しても構わない。あるいは、これらの２つの実施の形態を部分的に組み合わせて実施しても構わない。
【符号の説明】
【００７０】
１０  照明器具、１１  器具本体、２０  直管ＬＥＤランプ、２０ａ  ケース、２１  接地側口金、２１ｃ  円部、２２  接地ピン、２２ａ  円柱部、２２ｂ  楕円部、２３  給電側口金、２３ｃ  円部、２４  給電ピン、２４ａ  軸部、２４ｂ  抜け止め部、２５  ランプ引っ掛け部、３０，３０ａ  連結ソケット、３１  本体、３２  開口部、３３  嵌合受部、３４  回転子、３５  給電金具、３５ａ  速結端子部、３６  前面部、３７  底面部、３８  電線挿入孔、３９  器具取付部、４０  裏蓋、４１  爪部、４２  溝部、４３  ランプ保持部、４３ａ  一対の切り欠き、４４  固定突起、４４ａ  固定軸、４４ｂ  接合部、４５  回転軸、４６  後面部、４７  溝底部、４８  側壁部、４９  溝部開口、５０  接地金具、５１  挟持部、５２  固定受部、５３ａ  接地部、５３ｂ  接地孔、５４  接地板、６０  接地金具、６４  バネ受部、１０１  給電側ソケット、１０２  給電側ソケット用裏蓋、１０３  外郭部。
【図１】
0005669656.tif 000002
【図２】
0005669656.tif 000003
【図３】
0005669656.tif 000004
【図４】
0005669656.tif 000005
【図５】
0005669656.tif 000006
【図６】
0005669656.tif 000007
【図７】
0005669656.tif 000008
【図８】
0005669656.tif 000009